(57)【要約】  この発明に係る真空断熱材は、外包材内に芯材が収納され、外包材の内部が減圧された真空断熱材であって、外包材は、内部において、芯材が詰められた本体部と、芯材のない外周部とを備え、外周部は、本体部側に折り曲げられて本体部に固定された固定部と、本体部に固定されていない非固定部とを有し、外周部と本体部との間に空気が溜まらないようにして、空気の膨張などによって冷蔵庫などを変形させることを防ぐことができる。
2017033313.tif 000002
【特許請求の範囲】
【請求項１】
外包材内に芯材が収納され、該外包材の内部が減圧された真空断熱材であって、
前記外包材は、
前記内部において、前記芯材が詰められた本体部と、前記芯材のない外周部とを備え、
前記外周部は、前記本体部側に折り曲げられて前記本体部に固定された固定部と、前記本体部に固定されていない非固定部とを有する真空断熱材。
【請求項２】
前記固定部および前記非固定部は、前記外周部における外縁である請求項１に記載の真空断熱材。
【請求項３】
請求項１または請求項２に記載の真空断熱材が、外箱と内箱との間であって、前記外周部を折り曲げた側の面が前記内箱側を向くように配置された冷蔵庫。
【請求項４】
前記内箱は、前記非固定部において固定されていない前記外周部を押さえるスペーサを備える請求項３に記載の冷蔵庫。
【請求項５】
前記外箱は、前記外箱と前記内箱との間に充填する発泡断熱材の材料を注入する注入口を２箇所以上に有する請求項３または請求項４に記載の冷蔵庫。
【請求項６】
前記注入口が、前記冷蔵庫の高さ方向の２箇所に並んでおり、前記真空断熱材は、前記２箇所の前記注入口の略中間となる位置に前記非固定部を有する請求項５に記載の冷蔵庫。
【請求項７】
前記注入口が、前記冷蔵庫の幅方向の２箇所に並んでおり、前記真空断熱材は、前記２箇所の前記注入口の略中間となる位置に前記非固定部を有する請求項５に記載の冷蔵庫。
【発明の詳細な説明】
【技術分野】
【０００１】
この発明は、真空断熱材などに関するものである。特に冷蔵庫に用いる際の耳折りに関するものである。
【背景技術】
【０００２】
家庭用電化製品について省エネルギーが強く望まれている。たとえば冷蔵庫においては、冷蔵庫の外箱と内箱との間の空間に発泡断熱材を充填し、庫内からの冷気漏れ、外部からの熱侵入を防ぐようにしている。そして、冷蔵庫において、さらに省エネルギーをはかるために、優れた断熱性能を有する断熱材が求められている。【０００３】
そこで、たとえば冷蔵庫背面側にある注入口から、冷蔵庫の外箱と内箱との間に発泡断熱材を充填して空間を埋めるだけでなく、真空断熱材を取り付けた後に発泡断熱材を充填することで、さらに断熱をはかることができるようにした冷蔵庫が提案されている。真空断熱材は、スペーサの役割を持つ芯材を、ガスバリア性を有する外包材中に挿入し、外包材を圧縮などして外包材内部を減圧し、封止して形成したものである。【０００４】
ここで、たとえば、真空断熱材の芯材は空間の形状に合わせて形成される。また、減圧後に外包材内部に空気などが入らないようにするために外周部分に熱溶着などを行う。このため、真空断熱材の外周部分は、芯材が詰められていない余剰部分となる耳部となる。【０００５】
たとえば、冷蔵庫の外箱と内箱との間に取り付ける真空断熱材の耳部をそのままにしておくと、耳部が発泡断熱材の充填を阻害する、発泡断熱材の材料も多くなるなどの可能性がある。そこで、真空断熱材の耳部を折る耳折りを行って耳部を固定し、冷蔵庫に取り付けるようにした真空断熱材が提案されている（たとえば、特許文献１参照）。
【先行技術文献】
【特許文献】
【０００６】
【特許文献１】特開２０１３−２４５９０９号公報
【発明の概要】
【発明が解決しようとする課題】
【０００７】
しかしながら、耳折りした真空断熱材を取り付けた後、たとえば、外箱と内箱との空間に発泡断熱材を充填する。このとき、空間に存在した一部の空気が抜けきれずに空間内に留まることがある。留まった空気は、たとえば、真空断熱材の耳折り部分で逃げ場を失って溜まる。空気が溜まった状態で冷蔵庫を運転すると、溜まった空気が膨張、収縮などをして、内箱および外箱の壁面に力を加えて冷蔵庫内外の壁を変形などさせてしまう可能性があった。たとえば、特許文献１では、耳部を切断するなどの加工を行っているが、空気に対する対応はとられていない。【０００８】
この発明は、上記のような課題を解決するためになされたもので、消費電力低減に寄与しつつ、耳折りによる変形を回避することができる真空断熱材およびこの真空断熱材を備えた冷蔵庫を提供することを目的とする。
【課題を解決するための手段】
【０００９】
上記課題を解決するために、この発明に係る真空断熱材は、外包材内に芯材が収納され、外包材の内部が減圧された真空断熱材であって、外包材は、内部において、芯材が詰められた本体部と、芯材のない外周部とを備え、外周部は、本体部側に折り曲げられて本体部に固定された固定部と、本体部に固定されていない非固定部とを有するものである。【００１０】
また、この発明に係る冷蔵庫は、上記の真空断熱材が、外箱と内箱との間であって、耳部を折り曲げた側の面が内箱側を向くように配置されたものである。
【発明の効果】
【００１１】
この発明によれば、真空断熱材の耳折りにおいて外周部を固定しない非固定部を形成するようにしたので、外周部と本体部との間に空気が溜まらない真空断熱材を得ることができる。このため、たとえば、空気の膨張などによって冷蔵庫などを変形させることを防ぐことができる。
【図面の簡単な説明】
【００１２】
【図１】この発明に係る実施の形態１に係る冷蔵庫１００を斜め前方から見た図である。
【図２】この発明の実施の形態１に係る冷蔵庫１００の内部構成を説明する図である。
【図３】この発明の実施の形態１に係る冷蔵庫箱体１ａの構成を説明する図である。
【図４】この発明の実施の形態１に係る放熱パイプ１６と真空断熱材４１との関係の一例を示す図（その１）である。
【図５】この発明の実施の形態１に係る放熱パイプ１６と真空断熱材４１との関係の一例を示す図（その２）である。
【図６】この発明の実施の形態１に係る真空断熱材４１の製造工程を時系列に説明する図である。
【図７】この発明の実施の形態１に係る耳部４６を説明する図である。
【図８】この発明の実施の形態１に係る耳折りについて説明する図（その１）である。
【図９】この発明の実施の形態１に係る耳折りについて説明する図（その２）である。
【図１０】この発明の実施の形態１に係る非固定部４９を説明する図である。
【図１１】この発明の実施の形態１に係る内箱３０を示す図である。
【図１２】この発明の実施の形態１に係る冷蔵庫１００における発泡断熱材４０を形成する手順を説明する斜視図である。
【図１３】この発明の実施の形態１に係る冷蔵庫１００の側面における発泡断熱材４０の充填経路を示す図である。
【図１４】この発明の実施の形態１に係る背面側の真空断熱材４１と注入口２３の位置関係を示す図である。
【図１５】この発明の実施の形態２に係る背面板２２における注入口２３の別例を示す図である。
【図１６】この発明の実施の形態２に係る背面側の真空断熱材４１と注入口２３の位置関係を示す図である。
【図１７】この発明の実施の形態２に係る背面板２２における注入口２３の他の例を示す図である。
【図１８】この発明の実施の形態３に係る凹部４２の形状例を示す図（その１）である。
【図１９】この発明の実施の形態３に係る凹部４２の形状例を示す図（その２）である。
【発明を実施するための形態】
【００１３】
以下、発明の実施の形態に係る真空断熱材などについて図面などを参照しながら説明する。以下の図面において、同一の符号を付したものは、同一またはこれに相当するものであり、以下に記載する実施の形態の全文において共通することとする。そして、明細書全文に表わされている構成要素の形態は、あくまでも例示であって、明細書に記載された形態に限定するものではない。特に構成要素の組み合わせは、各実施の形態における組み合わせのみに限定するものではなく、他の実施の形態に記載した構成要素を別の実施の形態に適用することができる。また、以下の説明において、図における上方を「上側」とし、下方を「下側」として説明する。さらに、理解を容易にするために、方向を表す用語（たとえば「右」、「左」、「前」、「後」など）などを適宜用いるが、説明のためのものであって、これらの用語は本願に係る発明を限定するものではない。また、冷蔵庫を正面側から見て上下となる方向を高さ方向とし、左右となる方向を幅方向とする。そして、図面では各構成部材の大きさの関係が実際のものとは異なる場合がある。
【００１４】
実施の形態１．
図１はこの発明に係る実施の形態１に係る冷蔵庫１００を斜め前方から見た図である。また、図２はこの発明の実施の形態１に係る冷蔵庫１００の内部構成を説明する図である。図１および図２に示す冷蔵庫１００は、食品などの貯蔵物を収容し、冷蔵（１０℃以下）または冷凍（−１２℃以下）する。冷蔵庫１００は、冷蔵庫本体１と複数の扉とを備えている。
【００１５】
冷蔵庫本体１は、複数の貯蔵室（部屋）となる空間を有している。本実施の形態の冷蔵庫１００では、上から冷蔵室２、冷凍室（製氷室３、第一冷凍室４、第二冷凍室５）および野菜室６を貯蔵室として有しているものとする。各貯蔵室は、前面側が開口しており、開口部分を扉が開閉可能に覆っている。冷蔵室扉７および８は、観音開き式の左右二枚で構成する、冷蔵室２を覆う扉である。製氷室扉９、第一冷凍室扉１０および第二冷凍室扉１１は、それぞれ製氷室３、第一冷凍室４および第二冷凍室５を覆う引き出し式の扉である。また、野菜室扉１２は野菜室６を覆う引き出し式の扉である。ここで、引き出し式の扉は、貯蔵物を収容する収容ケースとともに引き出される。
【００１６】
本実施の形態の冷蔵庫１００は、貯蔵室内を冷却するため、冷媒回路（冷凍サイクル装置）を有している。冷媒回路は、冷却器１４、圧縮機１５、凝縮器、キャピラリチューブなどを配管接続して構成する。図２では、冷却器１４および圧縮機１５を示している。圧縮機１５は、冷媒を吸入し、圧縮して高温・高圧の状態にして吐出する。凝縮器は、冷媒に放熱させて凝縮液化させる。本実施の形態では、後述する放熱パイプ１６が凝縮器となる。また、膨張装置となるキャピラリチューブ（毛細管）は、通過する冷媒を減圧して膨張させる。冷却器１４は、冷媒と空気とを熱交換させ、冷媒を蒸発ガス化させる。冷却器１４が冷却した空気は、送風機（図示せず）により、各貯蔵室に送られる。各貯蔵室に送られる冷気量（空気の量）は、冷却器１４と各貯蔵室との間の風路に設けた電動式の開閉ダンパ（図示せず）で制御される。
【００１７】
ここで、冷凍サイクル装置に循環する冷媒として、本実施の形態ではイソブタン（Ｒ６００ａ）を用いる。他の冷媒を用いてもよいが、イソブタンは、廃棄した場合にオゾン層を破壊しない、温暖化係数が低いなどの利点がある。
【００１８】
また、図１に示すように、制御装置となる制御基板１３は、冷蔵庫１００における各貯蔵室の温度、圧縮機１５の回転数などの制御を行う基板である。制御基板１３は冷蔵庫本体１の上部後方に設けられている。
【００１９】
図３はこの発明の実施の形態１に係る冷蔵庫箱体１ａの構成を説明する図である。冷蔵庫箱体１ａは、冷蔵庫本体１の外郭となる外箱２０と貯蔵室を区画して構成する内箱３０とを有している。外箱２０は、少なくとも側面板２１および背面板２２を有する。側面板２１および背面板２２は、０．４〜０．５ｍｍ程度の厚さを有する鉄板で構成されている。
【００２０】
また、外箱２０は、内箱３０を外箱２０に係止するＲ曲げ部（内箱係止部）２１ａを、冷蔵庫箱体１ａの前面側開口部側に有している。外箱２０のＲ曲げ部２１ａが、内箱３０の被係止部３１ａと弾性変形して挟着することにより、外箱２０に内箱３０を取り付ける。
【００２１】
また、本実施の形態の冷蔵庫１００の冷蔵庫箱体１ａは、外箱２０と内箱３０との間に発泡断熱材４０と真空断熱材４１とを有し、冷蔵庫１００内外を断熱する。
【００２２】
真空断熱材４１は、側面板２１および背面板２２の冷蔵庫内面側に固定される。また、発泡断熱材４０は、外箱２０と内箱３０との間の空間に充填する。真空断熱材４１を側面板２１および背面板２２に固定することで、発泡断熱材４０が、側面板２１および背面板２２と真空断熱材４１との間に侵入しないようにする。このため、真空断熱材４１の断熱効果を発揮させることができる。発泡断熱材４０の充填については後述する。
【００２３】
図４および図５はこの発明の実施の形態１に係る放熱パイプ１６と真空断熱材４１との関係の一例を示す図である。前述したように、本実施の形態の真空断熱材４１は、少なくとも側面板２１および背面板２２の内面側に固定される。このとき、側面板２１に固定される真空断熱材４１については、凝縮器となる放熱パイプ１６を覆い、放熱パイプ１６とともに固定される。
【００２４】
放熱パイプ１６は、前述したように凝縮器として機能し、側面板２１を介して、冷媒の熱を、冷蔵庫１００の外部に放熱させる。本実施の形態では、放熱パイプ１６は、直径４．０〜５．０ｍｍ程度の銅管であるものとする。また、各側面板２１に固定される放熱パイプ１６は、それぞれ１本の銅管を上下方向に折り返して形成する。このため、限られた範囲内で冷媒の流路を長くすることができる。このとき、折り返すことにより、隣り合う銅管の間隔を寸法Ｗ１とする。ここで、放熱パイプ１６の形状、材料、寸法などについては、図４および図５の例に限定するものではない。
【００２５】
真空断熱材４１は、外部から冷蔵庫１００内に熱が侵入しないようにする遮断する。また、放熱パイプ１６を真空断熱材４１で覆うことにより、冷媒の放熱からも断熱する。真空断熱材４１は、放熱パイプ１６を覆う凹部４２を有している。前述したように、銅管の折り返しによって隣り合う銅管の間隔が寸法Ｗ１である。このため、凹部４２間の間隔も寸法Ｗ１とする。また、凹部４２の深さ（高さ）の寸法Ｄ１は、放熱パイプ１６の直径以上とする。たとえば、発泡断熱材４０を充填するときに、真空断熱材４１が放熱パイプ１６と接触して放熱パイプ１６を加圧し、側面板２１などに押し付けて外観不良を起こさないためである。そして、本実施の形態における凹部４２の幅の寸法Ｌ１は、４０〜７０ｍｍとする。凹部４２の幅の寸法Ｌ１については、冷蔵庫製造工程で発生する組付け公差を考慮したものである。組付け公差については、たとえば、凹部４２を形成する上での製造誤差、真空断熱材４１を側面板２１に取り付ける際の取り付け誤差、側面板２１での放熱パイプ１６の曲がり、放熱パイプ１６の側面板２１への取り付け誤差などである。凹部４２の幅の寸法Ｌ１は、これらの誤差が発生しても、凹部４２が放熱パイプ１６を収納できるような長さに設定する。
【００２６】
＜真空断熱材４１の構成＞
真空断熱材４１は、外包材４３と芯材４４とを有する。外包材４３は、芯材４４を包んで保護する。また、内部の真空状態を保つ。外包材４３は、たとえば、熱溶着用のプラスチック層を有する金属蒸着ラミレートフィルムなどを材料とする。一方、芯材４４は、複数層の積層体４５を重ねる。本実施の形態では、後述するように、三層の積層体４５を重ねて芯材４４を作製する。積層体４５は、一般にグラスウール、グラスファイバ、アルミナ繊維、シリカアルミナ繊維、木綿などの天然繊維などを材料とする。
【００２７】
図６はこの発明の実施の形態１に係る真空断熱材４１の製造工程を時系列に説明する図である。次に、図６に基づいて、真空断熱材４１の製造手順について説明する。ここで、各積層体４５および芯材４４の厚みは、製造過程において変化するが、図６では変化させていない。また、図６は一例を示したものであって、たとえば、第二の積層体４５ｄの上に積層している第一の積層体４５ａ、４５ｂおよび４５ｃのような積層体４５についての数などについて、この例に限定するものではない。
【００２８】
まず、芯材４４の材料となる原綿の無機繊維を乾燥する。乾燥した無機繊維を、所定の寸法で切断し、第一の積層体４５ａ、４５ｂおよび４５ｃ、第二の積層体４５ｄ並びに第三の積層体４５ｅを形成する。そして、図６（ａ）に示すように、第一の積層体４５ａ、４５ｂおよび４５ｃ、第二の積層体４５ｄ並びに第三の積層体４５ｅを３段に積層して芯材４４を形成する。ここで、第三の積層体４５ｅの上側に第二の積層体４５ｄを配置する。また、第二の積層体４５ｄの上側に第一の積層体４５ａ、４５ｂおよび４５ｃを配置する。第一の積層体４５ａ、４５ｂおよび４５ｃの配置を調整し、凹部４２の幅の寸法Ｌ１を調整する。また、第一の積層体４５ａ、４５ｂおよび４５ｃについて、たとえば減圧後の厚さが５ｍｍとなるような厚さとする。そして、図６（ｂ）に示すように、芯材４４を外包材４３で包む。本例では、外包材４３は袋状に形成されており、芯材４４を挿入するために開口している部分以外の外周部は、熱溶着によって形成された耳部４６となる。耳部４６については、たとえば真空断熱材４１の外周端部に２０〜５０ｍｍの幅で形成される。
【００２９】
さらに、外包材４３で包んだ芯材４４を真空チャンバ（図示せず）内に載置する。そして、芯材４４をプレス機５０で加圧しながら、外包材４３内の空気を、外包材４３を溶着していない部分から抜き、芯材４４を所定の厚さまで圧縮する。外包材４３内が、たとえば真空状態になると、図６（ｃ）に示すように、溶着機６０が、外包材４３の開口部分に熱を加えて溶着し、開口部分を閉じることで、全周囲に外周部となる耳部４６が真空断熱材４１に形成される。
【００３０】
ここで、たとえば、本実施の形態の芯材４４は凹部４２を有しているが、凹部４２の部分の空気が抜けない状態で外包材４３を密封すると、大気中で芯材４４が変形し、凹部４２の高さが低くなる。また、凹部４２が形成される面と反対の面にも凹凸ができる。このため、断熱性能が低下する。そこで、凹部４２の形状に合わせた凸面をプレス機５０に形成しておき、プレスしたときに、凹部４２の空気が抜けるようにする。以上のようにして、図６（ｄ）に示すように、真空断熱材４１を製造する。
【００３１】
図７はこの発明の実施の形態１に係る耳部４６を説明する図である。前述したように、外包材４３を溶着して真空断熱材４１を形成するなどすることで、真空断熱材４１の周囲には、芯材４４を有していない耳部４６と芯材４４が詰まった真空断熱材本体部４７ができる。耳部４６は、断熱に寄与しない部分である。たとえば、耳部４６を広げたまま、外箱２０と内箱３０との間に固定すると、断熱に有効な真空断熱材本体部４７の面積が少なくなる。また、発泡断熱材４０の充填を阻害することになる。
【００３２】
図８および図９はこの発明の実施の形態１に係る耳折りについて説明する図である。図８は通常の耳折りを示す図である。図９は芯材４４の一部をプレス加工した加工部４４ａを有する場合の耳折りを示す図である。本実施の形態では、耳部４６を広げないようにするため、耳部４６を折る耳折りを行う。ここでは、凹部４２を有する面とは反対の面側（内箱３０に対向する側）に耳部４６を折る。そして、芯材４４が包まれている真空断熱材本体部４７に、折った耳部４６の外縁４６ａとなる部分をテープ４８で固定する。テープ４８で固定した部分は固定部となる。本実施の形態では、外縁４６ａをテープ４８で固定するが、たとえば、熱溶着して固定するようにしてもよい。ここで、図９に示すように、特に加工部４４ａを有する場合、耳折りした部分には空気が溜まりやすくなる。
【００３３】
図１０はこの発明の実施の形態１に係る非固定部４９を説明する図である。本実施の形態においては、耳折りを行う際、耳部４６の外縁４６ａについて、少なくとも１箇所以上、テープ４８での固定を行わない非固定部４９を形成する。非固定部４９は、耳折りによりできる耳部４６と真空断熱材本体部４７との間をテープ４８で完全に密封してしまわないようにして、空気の逃げ口とする部分である。非固定部４９の位置については、たとえば、真空断熱材４１の長手方向における耳折り部分に形成する。さらには、後述するように、発泡断熱材４０が、外箱２０と内箱３０との間の空間に充填されていく経路により決めることが望ましい。本実施の形態では、真空断熱材４１の長手方向の中央となる部分で、冷蔵庫１００の前面側（扉側）に形成する。
【００３４】
ここで、耳部４６の外縁４６ａをテープ４８で固定した固定部が少ないと、テープ４８が剥がれやすくなる。また、耳部４６と真空断熱材本体部４７との間に、発泡断熱材４０の材料となるウレタンフォーム原液が入り込むことで、充填が必要なところに原液が届かず、発泡断熱材４０が充填されない部分が生じる可能性がある。したがって、基本的には、非固定部４９は少ない方がよい。
【００３５】
図１１はこの発明の実施の形態１に係る内箱３０を示す図である。図１１に示すように、本実施の形態では、内箱３０は外側面において凸形状であるスペーサ３４を有している。前述した真空断熱材４１における非固定部４９の位置とスペーサ３４の設置位置とは対応している。非固定部４９における耳部４６は固定されていないので、耳部４６が浮き上がる可能性がある。耳部４６が浮き上がっていると、外箱２０と内箱３０との間を塞いでしまって発泡断熱材４０の充填を阻害する可能性がある。そこで、スペーサ３４によって非固定部４９において固定されていない耳部４６の拡がりを押さえ、外箱２０と内箱３０との間の空間を確保する。外箱２０と内箱３０との間の空間における発泡断熱材４０の充填を阻害しない。
【００３６】
ここで、スペーサ３４については、たとえば、内箱３０の金型などに形成しておき、内箱３０の一部として形成するようにしてもよい。また、テープ、発泡スチロールなどで形成し、内箱３０に取り付けるようにしてもよい。
【００３７】
図１２はこの発明の実施の形態１に係る冷蔵庫１００における発泡断熱材４０を形成する手順を説明する斜視図である。本実施の形態では、冷蔵庫箱体１ａは背面板２２の四隅に注入口２３（２３ａ〜２３ｄ）を有している。注入口２３ａ〜２３ｄには、発泡断熱材４０の材料となるウレタンフォーム原液を注入する。
【００３８】
真空断熱材４１は、熱溶着、アルミニウム製のテープなどで、あらかじめ外箱２０の内面側に仮固定しておく。ウレタンフォーム原液が発泡し、発泡断熱材４０が充填されると、真空断熱材４１は、発泡断熱材４０に押されて、外箱２０の内面側に固定される。
【００３９】
図１３はこの発明の実施の形態１に係る冷蔵庫１００の側面における発泡断熱材４０の充填経路を示す図である。ウレタンフォーム注入ヘッド７０を注入口２３ａ〜２３ｄに取り付け、ウレタンフォーム原液を注入する。注入されたウレタンフォーム原液は、冷蔵庫箱体１ａの外箱２０と内箱３０との間の空間において、間口縁側全体に回り込んで発泡を開始する。
【００４０】
図１３に示すように、冷蔵庫１００の側面において、ウレタンフォーム原液が冷蔵庫１００の背面側から前面側に流れた後、前面側において冷蔵庫１００の中央部分に向かって流れて発泡し、発泡断熱材４０が充填されていく経路がある。また、ウレタンフォーム原液が冷蔵庫１００の背面側において冷蔵庫１００の中央部分に向かって流れた後、冷蔵庫１００の背面側から前面側に流れて発泡し、発泡断熱材４０が充填されていく経路がある。
【００４１】
たとえば、耳部４６と真空断熱材本体部４７との間の空気が逃げる前に、非固定部４９に発泡断熱材４０が充填されると、耳部４６と真空断熱材本体部４７との間の空気が閉じ込められる。このため、発泡断熱材４０が、充填が最後となる部分に対応する位置に非固定部４９があるとよい。そこで、本実施の形態では、前述したように、真空断熱材４１の長手方向の中央となる部分で、冷蔵庫１００の前面側の位置に非固定部４９を形成する。この位置は、注入口２３ａおよび注入口２３ｂから最も遠い位置にあたることになる。非固定部４９を形成することで、耳部４６と真空断熱材本体部４７との間の空気が逃げられるようにする。
【００４２】
図１４はこの発明の実施の形態１に係る背面側の真空断熱材４１と注入口２３の位置関係を示す図である。たとえば、発泡断熱材４０の充填経路に基づき、背面側に固定する真空断熱材４１については、図１４に示すように、耳部４６の２箇所に非固定部４９を形成する。本実施の形態の真空断熱材４１においては、注入口２３ａと２３ｃ、注入口２３ｂと２３ｄの中央部分に対応するように、真空断熱材４１の非固定部４９が設けられている。
【００４３】
以上のように、実施の形態１によれば、耳折りにおいて耳部４６を固定しない非固定部４９を形成するようにしたので、耳部４６と真空断熱材本体部４７との間に空気が溜まらない真空断熱材４１を得ることができる。このため、冷蔵庫１００の運転により、溜まった空気が膨張、収縮などして、冷蔵庫１００の外箱２０および内箱３０が加圧されて変形しない冷蔵庫１００を得ることができる。また、空気が溜まらないので、発泡断熱材４０を充填する際に、発泡断熱材４０の未充填部分を減らすことができ、断熱性能がよい冷蔵庫１００を得ることができる。
【００４４】
さらに、ウレタンフォーム原液を注入する注入口２３ａ〜２３ｄを、背面板２２の四隅に形成することで、真空断熱材４１の被覆面積を拡大し、断熱性能を向上することができる。
【００４５】
実施の形態２．
図１５はこの発明の実施の形態２に係る背面板２２における注入口２３の別例を示す図である。実施の形態１の冷蔵庫１００においては、背面板２２の四隅に注入口２３ａ〜２３ｄを設けるようにした。図１５においては、背面板２２の上部隅の２箇所と中央部分の２箇所の４箇所に注入口２３ａ〜２３ｄを設けるようにしたものである。
【００４６】
図１６はこの発明の実施の形態２に係る背面側の真空断熱材４１と注入口２３の位置関係を示す図である。図１６に示すように、注入口２３ａと２３ｃ、注入口２３ｂと２３ｄの中央部分に対応するように、真空断熱材４１の非固定部４９が設けられている。
【００４７】
図１７はこの発明の実施の形態２に係る背面板２２における注入口２３の他の例を示す図である。図１７においては、背面板２２の中央部分の２箇所に注入口２３ａおよび２３ｂを設けるようにしたものである。
【００４８】
以上のように、実施の形態２によれば、注入口２３の位置に対応した位置に真空断熱材４１の非固定部４９を設けることで、耳部４６と真空断熱材本体部４７との間に空気が溜まらないようにすることができる。
【００４９】
実施の形態３．
図１８および図１９はこの発明の実施の形態３に係る凹部４２の形状例を示す図である。実施の形態１では、矩形状になるように凹部４２を形成したが、これに限定するものではない。たとえば図１８のように、凹部４２の空間が三角形状の形にすることができる。また、図１９のように半楕円状の形にすることができる。
【符号の説明】
【００５０】
１  冷蔵庫本体、１ａ  冷蔵庫箱体、２  冷蔵室、３  製氷室、４  第一冷凍室、５  第二冷凍室、６  野菜室、７，８  冷蔵室扉、９  製氷室扉、１０  第一冷凍室扉、１１  第二冷凍室扉、１２  野菜室扉、１３  制御基板、１４  冷却器、１５  圧縮機、１６  放熱パイプ、２０  外箱、２１  側面板、２１ａ  Ｒ曲げ部、２２  背面板、２３，２３ａ，２３ｂ，２３ｃ，２３ｄ  注入口、３０  内箱、３１ａ  被係止部、３４  スペーサ、４０  発泡断熱材、４１  真空断熱材、４２  凹部、４３  外包材、４４  芯材、４４ａ  加工部、４５  積層体、４５ａ，４５ｂ，４５ｃ  第一の積層体、４５ｄ  第二の積層体、４５ｅ  第三の積層体、４６  耳部、４６ａ  外縁、４７  真空断熱材本体部、４８  テープ、４９  非固定部、５０  プレス機、６０  溶着機、７０  ウレタンフォーム注入ヘッド、１００  冷蔵庫。
【図１】
2017033313.tif 000003
【図２】
2017033313.tif 000004
【図３】
2017033313.tif 000005
【図４】
2017033313.tif 000006
【図５】
2017033313.tif 000007
【図６】
2017033313.tif 000008
【図７】
2017033313.tif 000009
【図８】
2017033313.tif 000010
【図９】
2017033313.tif 000011
【図１０】
2017033313.tif 000012
【図１１】
2017033313.tif 000013
【図１２】
2017033313.tif 000014
【図１３】
2017033313.tif 000015
【図１４】
2017033313.tif 000016
【図１５】
2017033313.tif 000017
【図１６】
2017033313.tif 000018
【図１７】
2017033313.tif 000019
【図１８】
2017033313.tif 000020
【図１９】
2017033313.tif 000021
【手続補正書】
【提出日】平成29年12月4日(2017.12.4)
【手続補正２】
【補正対象書類名】明細書
【補正対象項目名】０００１
【補正方法】変更
【補正の内容】
【０００１】
この発明は、冷蔵庫に関するものである。特に冷蔵庫に用いる真空断熱材の耳折りに関するものである。
【手続補正３】
【補正対象書類名】明細書
【補正対象項目名】０００８
【補正方法】変更
【補正の内容】
【０００８】
この発明は、上記のような課題を解決するためになされたもので、消費電力低減に寄与しつつ、耳折りによる変形を回避することができる冷蔵庫を提供することを目的とする。
【手続補正４】
【補正対象書類名】明細書
【補正対象項目名】０００９
【補正方法】変更
【補正の内容】
【０００９】
上記課題を解決するために、この発明に係る冷蔵庫は、外包材内に芯材が収納され、外包材の内部が減圧された真空断熱材を備える冷蔵庫であって、冷蔵庫箱体を構成する内箱と外箱とを備え、真空断熱材は、内部において、芯材が詰められた本体部と、芯材のない外周部とを備え、外周部は、本体部側に折り曲げられて本体部に固定された固定部と、本体部に固定されていない非固定部とを有し、内箱は非固定部において固定されていない外周部を押さえるスペーサを備えるものである。
【手続補正５】
【補正対象書類名】明細書
【補正対象項目名】００１０
【補正方法】変更
【補正の内容】
【００１０】
また、この発明に係る冷蔵庫は、外包材内に芯材が収納され、外包材の内部が減圧された真空断熱材を備える冷蔵庫であって、冷蔵庫箱体を構成する内箱と外箱とを備え、真空断熱材は、内部において、芯材が詰められた本体部と、芯材のない外周部とを備え、外周部は、本体部側に折り曲げられて本体部に固定された固定部と、本体部に固定されていない非固定部とを有し、外箱と内箱との間に充填する発泡断熱材の材料を注入する注入口を２箇所以上に有し、注入口が、冷蔵庫の高さ方向の２箇所に設けられており、真空断熱材は、２箇所の注入口の略中間となる位置に非固定部を有するものである。
【手続補正６】
【補正対象書類名】特許請求の範囲
【補正対象項目名】全文
【補正方法】変更
【補正の内容】
【特許請求の範囲】
【請求項１】
外包材内に芯材が収納され、該外包材の内部が減圧された真空断熱材を備える冷蔵庫であって、
冷蔵庫箱体を構成する内箱と外箱とを備え、
前記真空断熱材は、前記内部において、前記芯材が詰められた本体部と、前記芯材のない外周部とを備え、
前記外周部は、前記本体部側に折り曲げられて前記本体部に固定された固定部と、前記本体部に固定されていない非固定部とを有し、
前記内箱は前記非固定部において固定されていない前記外周部を押さえるスペーサを備える冷蔵庫。
【請求項２】
外包材内に芯材が収納され、該外包材の内部が減圧された真空断熱材を備える冷蔵庫であって、
冷蔵庫箱体を構成する内箱と外箱とを備え、
前記真空断熱材は、
前記内部において、前記芯材が詰められた本体部と、前記芯材のない外周部とを備え、
前記外周部は、前記本体部側に折り曲げられて前記本体部に固定された固定部と、前記本体部に固定されていない非固定部とを有し、
前記外箱と前記内箱との間に充填する発泡断熱材の材料を注入する注入口を２箇所以上に有し、
前記注入口が、前記冷蔵庫の高さ方向の２箇所に設けられており、前記真空断熱材は、前記２箇所の前記注入口の略中間となる位置に前記非固定部を有する冷蔵庫。
【請求項３】
前記真空断熱材が、冷蔵庫箱体を構成する前記外箱と前記内箱との間であって、前記外周部を折り曲げた側の面が前記内箱側を向くように配置された請求項１または請求項２に記載の冷蔵庫。
【請求項４】
前記内箱は、前記非固定部において固定されていない前記外周部を押さえるスペーサを備える請求項２に従属する請求項３に記載の冷蔵庫。
【請求項５】
前記外箱は、前記外箱と前記内箱との間に充填する発泡断熱材の材料を注入する注入口を２箇所以上に有する請求項１に従属する請求項３に記載の冷蔵庫。
【請求項６】
前記注入口が、前記冷蔵庫の高さ方向の２箇所に設けられており、前記真空断熱材は、前記２箇所の前記注入口の略中間となる位置に前記非固定部を有する請求項５に記載の冷蔵庫。
【請求項７】
前記注入口が、前記冷蔵庫の幅方向の２箇所に設けられており、前記真空断熱材は、前記２箇所の前記注入口の略中間となる位置に前記非固定部を有する請求項５に記載の冷蔵庫。
【国際調査報告】
2017033313.tif 000022
2017033313.tif 000023
2017033313.tif 000024
2017033313.tif 000025